(57)【要約】      （修正有）【課題】開いたページを固定するための機能と共に栞の機能を持った読書クリップを提供する。【解決手段】読書しようとする本の表紙を本体のクリップ部で挟み、押圧体の先端で開いたページを抑える。ページをめくるときは次のページを押圧体の先端の下に滑り込ませる。取り付けたまま本を閉じれば押圧体は栞の役目をする。【選択図】図４
0003131322.tif 000002
【実用新案登録請求の範囲】
【請求項１】
本体１に押圧体２を連結して成る読書クリップ
【請求項２】
本体は押圧体の一端を巻き込んで本体と押圧体とを連結する巻き込み部と、本の表紙を挟んで本にとりつけるクリップ部から成る読書クリップ
【考案の詳細な説明】
【考案の詳細な説明】
【０００１】考案が解決しようとする課題
本を開いたままの状態で維持するためには、本の装丁にもよるけれど、一般には手で押さえておくか、ページに錘を載せておかねばならないので、料理の本を見ながら料理をする場合など不便である。またいったん本を閉じた後、読みかけのページをすぐに開けるようにするためにはページの間に栞を差し込んでおかねばならない。つまりページを固定するために抑えるなどの作業と栞を差し込む作業が必要である。
このように開いたページを固定するための機能と共に栞の機能を持った読書クリップを提供せんとするものである。
【１００２】課題を解決するための手段
（イ）本考案の読書クリップの本体１は、押圧体２の一端を巻き込んで、本体と押圧体とを連結する巻き込み部３と、本の表紙５を挟んで本に取り付けるクリップ部４から成る。（図１、図２）
（ロ）本考案を使用するときは、本の表紙５をクリップ部４に挿入し押圧体２の先端で開いたページを抑える。ページをめくるときは次のページを押圧体の先端の下に滑り込ませる。使用中のまま本を閉じれば押圧体はページの間に挟まれ栞の役目をする。（図２、図３、図４）
（ハ）押圧体は巻き込み部との摩擦により容易には動かない程度に固定されているのでページの跳ね返りを抑えることが出来る。しかし、クリップ部に本の表紙を挟み込むとクリップ部が上下に開くので巻き込み部の巻き込む力が弱まり摩擦力が減るので押圧体のページを抑える力が弱まる。この弊害を無くすため巻き込み部の一部をクリップ部の動きと無縁にするため切り目６を入れる。（図２、図３）
【図面の簡単な説明】
【図１】  本考案の平面図である。
【図２】  本考案の側面図である。
【図３】  本考案を本の表紙に装着した平面図である。
【図４】  本考案実施の一例を示す斜視図である。
【図１】
0003131322.tif 000003
【図２】
0003131322.tif 000004
【図３】
0003131322.tif 000005
【図４】
0003131322.tif 000006
【手続補正書】
【提出日】平成19年2月20日(2007.2.20)
【手続補正３】
【補正対象書類名】実用新案登録請求の範囲
【補正対象項目名】全文
【補正方法】変更
【補正の内容】
【実用新案登録請求の範囲】
【請求項１】
板状の本体を折り曲げて、本の表紙を挟んで本に取り付けることのできるクリップ部を形成し、折り曲げ部分にＬ字状の押圧体の横線を巻き込むことにより巻き込み部を形成し、Ｌ字状の押圧体の縦線は、板状の本体の側方に沿って開いた本のページの跳ね返りを抑えることができるように構成したことを特徴とする読書クリップ。
【請求項２】
押圧体の横線を巻き込んだ巻き込み部の一部に切れ目を設けたことを特徴とする請求項１に記載の読書クリップ。
【手続補正４】
【補正対象書類名】明細書
【補正対象項目名】全文
【補正方法】変更
【補正の内容】
【考案の詳細な説明】
【技術分野】
【０００１】
本考案は、開いた本のページの跳ね返りを抑えることのできる読書クリップに関するものである。
【背景技術】
【０００２】
従来より、読書をする場合において、本を開いたままの状態に維持するため、本を手で押さえたり開いたページの上部に錘を載せたりといった作業が行われている。また、読みかけの本を一旦閉じる場合は、どこまで読んだかが分かるようにページの間に栞を差し込む作業が行われている。
【考案の開示】
【考案が解決しようとする課題】
【０００３】
しかし、本を手で押さえたり、本に錘を載せたりといった作業は、本の装丁にもよるが、例えば料理の本を見ながら料理をする場合等においては非常に不便である。また、ページの間に栞を差し込む場合においては、ページを固定するために本を手で抑える等の作業と栞を差し込む作業とが必要となる。
【０００４】
そこで、本考案は、開いたページを固定するための機能と共に栞の機能を持った読書クリップを提供することを目的とするものである。
【課題を解決するための手段】
【０００５】
上記目的を達成するため、請求項１に記載の考案は、板状の本体を折り曲げて、本の表紙を挟んで本に取り付けることのできるクリップ部を形成し、折り曲げ部分にＬ字状の押圧体の横線を巻き込むことにより巻き込み部を形成し、前記Ｌ字状の押圧体の縦線は、板状の本体の側方に沿って開いた本のページの跳ね返りを抑えることができるように構成したことを特徴とする。
【０００６】
また、請求項２に記載の考案は、押圧体の横線を巻き込んだ巻き込み部の一部に切れ目を設けたことを特徴とする。
【考案の効果】
【０００７】
請求項１に記載の考案によれば、ページの跳ね返りを押圧体によって抑えることにより、手や錘によらずとも本を開いた状態に維持することが可能となる。さらに、押圧体でページを押さえた状態のまま本を閉じることで、押圧体がページの間に挟まれることにより栞としての機能を果たすことができる。
【０００８】
請求項２に記載の考案によれば、巻き込み部の一部に切れ目を設けたことにより、巻き込み部の一部をクリップ部の動きと無縁にすることができるため、本の表紙にクリップ部を挟んだ際、表紙の厚みによってクリップ部が上下に開き、巻き込み部の巻き込む力が弱まり押圧体と巻き込み部との間に生じる摩擦力が減少することによって押圧体のページを抑える力が弱まるという事態を回避することができる。
【考案を実施するための最良の形態】
【０００９】
以下に、本考案の一実施の形態について図面を参照しながら説明する。図１は本実施形態における読書クリップの平面図、図２は同読書クリップの左側面図である。
【００１０】
図１に示すように、本実施形態にかかる読書クリップは、板状の本体１を折り曲げることで、本の表紙５を挟んで本に取り付けることのできるクリップ部４を形成するとともに、折り曲げ部分にＬ字状の押圧体２の横線を巻き込むことにより巻き込み部３を形成し、さらに、Ｌ字状の押圧体２の縦線は、板状の本体１の側方に沿って開いた本のページの跳ね返りを抑えることができるように構成されている。
【００１１】
このように構成された読書クリップは、押圧体２が巻き込み部３との間に生じる摩擦力によって容易に動かない程度に固定されているため、かかる摩擦力によりページの跳ね返りを抑えることができる。
【００１２】
しかし、クリップ部４に本の表紙５を挟み込むと、表紙の厚み分だけクリップ部４が上下に開くこととなるため、巻き込み部３の巻き込む力が弱まり押圧体２の横線と巻き込み部３との摩擦力が減少することにより、押圧体２のページを抑える力が弱まるという事態が生じる。
【００１３】
そこで、本実施形態においては、かかる弊害を無くすため、巻き込み部３の略中央の２箇所に縦方向の切れ目６，６を設け、さらに、これら２箇所の切れ目６，６の端部同士を結ぶ線に沿って横方向の切れ目を設けることとした。かかる構成とすることにより、巻き込み部３の一部をクリップ部４の動きと無縁にすることができるため、上記のようにクリップ部４を本の表紙に挟みこむことで押圧体２のページを抑える力が弱まるといった事態を回避することができる。
【００１４】
以下に、本実施形態にかかる読書クリップの動作を、図３及び図４を参照して説明する。図３は読書クリップを本の表紙に装着した平面図、図４は同クリップの一使用例を示した斜視図である。
【００１５】
本実施形態にかかる読書クリップを使用する際は、図３に示すように本の表紙５をクリップ部４に挿入した後、図４に示すように押圧体２の先端で開いたページを抑える。ページをめくるときには次のページを押圧体の先端の下に滑り込ませる。使用中のまま本を閉じれば押圧体２はページの間に挟まれ栞の機能を果たすことができる。
【図面の簡単な説明】
【００１６】
【図１】本実施形態における読書クリップの平面図である。
【図２】本実施形態における読書クリップの左側面図である。
【図３】本実施形態における読書クリップを本の表紙に装着した平面図である。
【図４】本実施形態における読書クリップの一使用例を示した斜視図である。
【符号の説明】
【００１７】
１    本体
２    押圧体
３    巻き込み部
４    クリップ部
５    本の表紙
６    切り目